【手続補正書】
【提出日】平成19年2月6日(2007.2.6)
【手続補正１】
【補正対象書類名】特許請求の範囲
【補正対象項目名】全文
【補正方法】変更
【補正の内容】
【特許請求の範囲】
【請求項１】
電気外科用ペンシルであって、
細長いハウジングと、
該ハウジング内で支持されかつ該ハウジングから遠位に延びる導電性要素であって、電気外科用エネルギー源に接続可能な導電性要素と、
該ハウジング内に配置されかつ該電気外科用エネルギー源に電気的に接続された動きセンサとを備え、該センサは、該電気外科用ペンシルが空間を自由に動くのにつれて該電気外科用ペンシルの動きを検出し得かつ該電気外科用ペンシルの該動きに関連する信号を該電気外科用エネルギー源に伝達し、該電気外科用エネルギー源は、該センサから伝達された該信号に応答して電気外科用エネルギーを供給する、
電気外科用ペンシル。
【請求項２】
前記センサは、加速度計、光学位置決定システム、高周波位置決定システム、および超音波位置決定システムのうちの少なくとも１つである、請求項１に記載の電気外科用機器。
【請求項３】
前記導電性要素は、該要素を貫通するように規定される長手軸を含み、前記センサは、該長手軸に沿った前記電気外科用ペンシルの軸方向運動、前記長手軸を横断する横運動、および該長手軸を中心とした回転運動のうちの少なくとも１つを検出する、請求項１に記載の電気外科用機器。
【請求項４】
前記電気外科用エネルギー源は、前記長手軸に沿った前記電気外科用ペンシルの軸方向運動の前記検出に応答して切開用ＲＦエネルギー出力を伝達する、請求項３に記載の電気外科用機器。
【請求項５】
前記電気外科用エネルギー源は、前記長手軸を横断する前記電気外科用ペンシルの横運動の前記検出に応答して止血用ＲＦエネルギー出力を伝達する、請求項３に記載の電気外科用機器。
【請求項６】
前記センサは、差動平行板加速度計、平衡相互嵌合櫛歯状加速度計、オフセット相互嵌合櫛歯状加速度計、および薄膜型加速度計のうちの少なくとも１つである、請求項１に記載の電気外科用機器。
【請求項７】
前記センサは、
前記長手軸に沿った軸方向の前記電気外科用ペンシルの動きを検出するための第１の加速度計と、
前記長手軸を横断する横方向の前記電気外科用ペンシルの動きを検出するための第２の加速度計とを含む、請求項６に記載の電気外科用機器。
【請求項８】
前記第１の加速度計は、前記電気外科用ペンシルの前記軸方向運動に対応する出力信号を前記電気外科用エネルギー源に伝達するように構成および適合されており、前記第２の加速度計は、該電気外科用ペンシルの前記横運動に対応する出力信号を該電気外科用エネルギー源に伝達するように構成および適合されている、請求項７に記載の電気外科用機器。
【請求項９】
前記第１および第２の加速度計の各々は、差動平行板加速度計、平衡相互嵌合櫛歯状加速度計、オフセット相互嵌合櫛歯状加速度計、および薄膜型加速度計のうちの少なくとも１つである、請求項７に記載の電気外科用機器。
【請求項１０】
前記第１および第２の加速度計の各々は、少なくとも１つの圧電フィルム動き検出器を含む、請求項７に記載の電気外科用機器。
【請求項１１】
前記電気外科用エネルギー源は、
所定時間における前記電気外科用ペンシルの動き、および
動きの所定閾値レベルを上回る前記電気外科用ペンシルの動き、
のうちの少なくとも１つを前記センサが検出しないときに電気外科用エネルギーの供給を実質的に減少させる、請求項１に記載の電気外科用機器。
【請求項１２】
前記電気外科用エネルギー源は、
前記所定時間後の前記電気外科用ペンシルの動き、および
前記動きの所定閾値レベルを上回る前記電気外科用ペンシルの動き、
のうちの少なくとも１つを前記センサが検出したときに電気外科用エネルギーの供給を実質的に増加させる、請求項１１に記載の電気外科用機器。
【請求項１３】
前記電気外科用エネルギー源は、
所定時間における前記電気外科用ペンシルの動き、および
動きの所定閾値レベルを上回る前記電気外科用ペンシルの動き、
のうちの少なくとも１つを前記センサが検出しないときに電気外科用エネルギーの供給を実質的に減少させる、請求項３に記載の電気外科用機器。
【請求項１４】
前記電気外科用エネルギー源は、
前記所定時間後の前記電気外科用ペンシルの動き、および
前記動きの所定閾値レベルを上回る前記電気外科用ペンシルの動き、
のうちの少なくとも１つを前記センサが検出したときに電気外科用エネルギーの供給を実質的に増加させる、請求項１３に記載の電気外科用機器。
【請求項１５】
電気外科用ペンシルであって、
細長いハウジングと、
該ハウジング内で支持されかつ該ハウジングから遠位に延びる導電性要素であって、電気外科用エネルギー源に接続可能な導電性要素と、
該ハウジング内に配置されかつ該電気外科用エネルギー源に電気的に接続された加速度計とを備え、該加速度計は、該電気外科用ペンシルの動きを検出しかつ該電気外科用ペンシルの該動きに関連する信号を該電気外科用エネルギー源に伝達し、該電気外科用エネルギー源は、該加速度計から伝達された該信号に応答して電気外科用エネルギーを供給する、
電気外科用ペンシル。
【請求項１６】
前記導電性要素は、該要素を貫通するように規定される長手軸を含み、前記加速度計は、該長手軸に沿った前記電気外科用ペンシルの軸方向運動、前記長手軸を横断する該電気外科用ペンシルの横運動、および該長手軸を中心とした該電気外科用ペンシルの回転運動のうちの少なくとも１つを検出する、請求項１５に記載の電気外科用ペンシル。
【請求項１７】
前記電気外科用エネルギー源は、
前記長手軸に沿った前記電気外科用ペンシルの軸方向運動の前記検出に応答して切開用ＲＦエネルギー出力、および
前記長手軸を横断する前記電気外科用ペンシルの横運動の前記検出に応答して止血用ＲＦエネルギー出力
のうちの少なくとも１つを伝達する、請求項１６に記載の電気外科用ペンシル。
【請求項１８】
前記加速度計は、
前記長手軸に沿った軸方向の前記導電性要素の動きを検出するための第１の加速度計と、
前記長手軸を横断する横方向の前記導電性要素の動きを検出するための第２の加速度計とを含む、請求項１７に記載の電気外科用ペンシル。
【請求項１９】
前記電気外科用エネルギー源は、
所定時間における前記電気外科用ペンシルの動き、および
動きの所定閾値レベルを上回る前記電気外科用ペンシルの動き、
のうちの少なくとも１つを前記加速度計が検出しないときに電気外科用エネルギーの供給を実質的に減少させる、ならびに
前記所定時間後の前記電気外科用ペンシルの動き、および
前記動きの所定閾値レベルを上回る前記電気外科用ペンシルの動き、
のうちの少なくとも１つを前記加速度計が検出したときに電気外科用エネルギーの供給を実質的に増加させる、
のうちの１つである、請求項１５に記載の電気外科用ペンシル。
【請求項２０】
電気外科用ペンシルであって、
ハウジングと、
該ハウジング内で少なくとも部分的に支持されかつ該ハウジングから延びる導電性要素であって、電気外科用エネルギー源に接続可能な導電性要素と、
該ハウジング内に配置されかつ該電気外科用エネルギー源に電気的に接続された動きセンサとを備え、該センサは、該電気外科用ペンシルの動きを検出し得、該動きセンサは、該電気外科用ペンシルが少なくとも所定時間と等しい時間にわたって不動状態にある場合に該電気外科用エネルギー源からのエネルギーの伝達を不活性にする、
電気外科用ペンシル。